(57)【要約】【課題】膨大な文書情報を管理する、閲覧情報をカテゴリー単位、画面単位で表示制限する、文書情報を一部のみ表示可能とする。【解決手段】閲覧情報を配信するサーバー端末と閲覧するクライアント端末とから構成し、サーバー端末には、編集システムと、閲覧情報の表示制御内容を設定する設定ファイルと、閲覧情報および表示制御パターンを管理するデータベースと、閲覧情報を表示制御内容どおりの表示形式に編集する共通クラスとを設け、クライアント端末にて閲覧要求が発行された際、サーバー端末の共通クラスにて、クライアント端末の利用者が持つアクセス権レベルに対応する表示制御パターンとそれに紐づく設定ファイルに記述された設定内容とを取得し、画面表示形式を表示制御パターンおよび設定内容で編集し表示する。【選択図】図１
2010218472.tif 000002
【特許請求の範囲】
【請求項１】
文書情報単位でその表示内容及び各種設定を編集する編集システムと、文書情報のカテゴリー単位で表示制御内容を設定する設定ファイルと、閲覧情報およびその表示制御パターンを管理するデータベースと、閲覧情報を該当する表示制御内容どおりの表示形式に編集する共通クラスとを備え、閲覧情報を通信回線を介して配信するサーバー端末と、
該閲覧情報を閲覧するクライアント端末と
からなる情報閲覧システムであって、
前記編集システムは、
文書情報の表示見出しと表示本文の内容を記述・更新する見出し本文編集手段と、
文書情報に設定する表示制御パターンを選択する文書別表示制御パターン設定手段と
を備え、
前記設定ファイルは、
文書情報の閲覧制限有効時に付与されるアイコンの優先順位を設定するアイコン優先順位設定手段と、
文書情報の表示見出しリンク押下時に閲覧制限対象となる場合の誘導先画面のＵＲＬを設定するＵＲＬ設定手段と
を備え、
前記データベースは、
文書情報単位で指定する表示制御方法とその制御方法に対するアクセス権レベル毎の制御パターンの組み合わせから成るロールをマスタ管理する文書情報単位管理手段と、
文書情報のカテゴリー単位で指定する表示制御方法とその制御方法に対するアクセス権レベル毎の制御パターンの組み合わせから成るロールをマスタ管理するカテゴリー単位管理手段と、
表形式にて表示する閲覧情報の表示件数制御方法とその制御方法に対するアクセス権レベル毎の制御パターンの組み合わせから成るロールをマスタ管理する表示制御管理手段と、
文書情報を表示する部品及び画面単位でその部品及び画面の参照可否をアクセス権レベル毎にロールにてマスタ管理する部品画面単位管理手段と
を備え、
前記共通クラスは、
前記クライアント端末にて閲覧情報の閲覧要求が発行された際、前記データベースにおける表示制御パターンとそれに紐づく前記設定ファイルにおける設定内容から、文書情報の画面表示形式を編集し表示する編集表示手段
を備える
ことを特徴とする情報閲覧システム。
【請求項２】
文書情報の表示見出しと表示本文の内容を記述・更新する見出し本文編集手段と、文書情報に設定する表示制御パターンを選択する文書別表示制御パターン設定手段とを備え、文書情報単位でその表示内容及び各種設定を編集する編集システムと、文書情報の閲覧制限有効時に付与されるアイコンの優先順位を設定するアイコン優先順位設定手段と、文書情報の表示見出しリンク押下時に閲覧制限対象となる場合の誘導先画面のＵＲＬを設定するＵＲＬ設定手段とを備え、文書情報のカテゴリー単位で表示制御内容を設定する設定ファイルと、文書情報単位で指定する表示制御方法とその制御方法に対するアクセス権レベル毎の制御パターンの組み合わせから成るロールをマスタ管理する文書情報単位管理手段と、文書情報のカテゴリー単位で指定する表示制御方法とその制御方法に対するアクセス権レベル毎の制御パターンの組み合わせから成るロールをマスタ管理するカテゴリー単位管理手段と、表形式にて表示する閲覧情報の表示件数制御方法とその制御方法に対するアクセス権レベル毎の制御パターンの組み合わせから成るロールをマスタ管理する表示制御管理手段と、文書情報を表示する部品及び画面単位でその部品及び画面の参照可否をアクセス権レベル毎にロールにてマスタ管理する部品画面単位管理手段とを備え、閲覧情報およびその表示制御パターンを管理するデータベースと、前記クライアント端末にて閲覧情報の閲覧要求が発行された際、前記データベースにおける表示制御パターンとそれに紐づく前記設定ファイルにおける設定内容から、文書情報の画面表示形式を編集し表示する編集表示手段を備える閲覧情報を該当する表示制御内容どおりの表示形式に編集する共通クラスとを備え、閲覧情報を通信回線を介して配信するサーバー端末と、該閲覧情報を閲覧するクライアント端末とからなる情報閲覧システムの情報閲覧制御方法であって、
前記クライアント端末にて閲覧情報の閲覧要求が発行された際、その閲覧要求を受け付ける閲覧要求受付ステップと、
前記データベースにおける表示制御パターンとそれに紐づく前記設定ファイルにおける設定内容とを取得する表示制御パターン設定内容取得ステップと、
文書情報の画面表示形式を編集し表示する編集表示ステップと
からなる情報閲覧制御方法。
【発明の詳細な説明】
【技術分野】
【０００１】
本発明は、情報閲覧システムに関し、特にインターネット・ブラウザを用いて各種情報の閲覧を可能とする情報閲覧システムに関するものである。
【背景技術】
【０００２】
近年の急速なインターネットやイントラネットと称されるコンピュータ・ネットワーク・システムの普及に伴い、今日では多種多様な文書情報がそのシステムを介して閲覧することが可能となり、そして閲覧者数も増加の一途を辿っている。
【０００３】
このコンピュータ・ネットワーク・システムでは、ＷＷＷ（World Wide Web）と呼ばれる情報閲覧技術が利用されており、利用者がネットワークに接続された各自のパーソナルコンピュータ即ちクライアント端末に搭載されたブラウザ（情報閲覧プログラム）を起動し閲覧するデータファイルの格納場所を示すＵＲＬ（Uniform Resource Locator）を入力すると、同じくネットワークに接続されたコンピュータ即ちＷｅｂサーバ端末内に配置されたデータファイルがＨＴＭＬ（Hyper Text Markup Language）と呼ばれる言語形式でＨＴＴＰ（Hyper Text Transfer Protocol）を介して提供されるしくみとなっている。
【０００４】
このしくみでは、不特定多数のすべての利用者が閲覧可能となるが、文書情報の内容によっては、閲覧できる利用者を制限する必要が生じたり、また利用者に優劣をつけて閲覧可能範囲を段階的に提供する必要が生じたりする。それらの閲覧制限を実現する手段としては、文書情報の閲覧を許可する利用者を予め登録しておき、閲覧時には利用者にログイン操作をさせることでユーザー認証を実施し閲覧の可否を管理するシステムや、登録した利用者に予めアクセス権レベルを付与することで各文書情報の閲覧の可否を利用者ごとに管理するシステムがある。
【０００５】
上記後者のシステムに該当・関連する公知技術文献としては、特許文献１を取り上げることができる。
【０００６】
特許文献１で開示された技術は、クライアント端末から所定ＨＴＭＬ文書の閲覧要求があった場合、Ｗｅｂサーバー端末の表示制御処理部において、クライアント端末の利用者のユーザー情報ファイルからアクセス権レベルを取得し、そのアクセス権レベルに基づき利用者に対する要求ＨＴＭＬ文書の表示可否および変更可否を判断し、表示可または変更可の場合のみ要求ＨＴＭＬ文書を配信するというものである。
【先行技術文献】
【特許文献】
【０００７】
【特許文献１】特開平１１−３２８１８７号公報
【発明の概要】
【発明が解決しようとする課題】
【０００８】
情報閲覧システムにて閲覧の可否を管理する上で、これから先、以下に挙げるような更なる対応が要求されるようになると考えられる。
【０００９】
より膨大な文書情報の管理、閲覧情報をカテゴリー分けしてそのカテゴリー単位での制限、閲覧情報を表示する画面単位での制限、文書情報を一部のみ表示可能とする、など。
【００１０】
それを踏まえた場合、特許文献１に開示された発明は、文書情報単位でアクセス権レベル毎の制限内容を管理しているため、管理する文書情報が膨大になった場合に管理ファイルのメンテナンスが困難でリスクも大きくなるという短所があり、また文書情報をカテゴリー別に管理するという概念もないので、上記の要件に対応することができない。
【００１１】
そこで本発明の目的は、より膨大な文書情報を管理する、閲覧情報をカテゴリー分けしてそのカテゴリー単位で表示を制限する、閲覧情報を表示する画面単位で表示を制限する、文書情報を一部のみ表示を可能とするなど、より高度な閲覧情報の表示制御を実現できる情報閲覧システムを提供することにある。
【課題を解決するための手段】
【００１２】
上記目的を達成するために、本発明の閲覧情報システムは、各種閲覧情報をＬＡＮ回線や電話回線などの通信回線を介して配信するサーバー端末と、通信回線を介して配信された各種閲覧情報を閲覧するクライアント端末とからなり、前記サーバー端末は、文書情報単位でその表示内容及び各種設定を編集する編集システムと、閲覧情報のカテゴリー単位で表示制御内容を設定する設定ファイルと、閲覧情報およびその表示制御パターンを管理するデータベースと、閲覧情報を該当する表示制御内容どおりの表示形式に編集する共通クラスとを設け、前記編集システムは、文書情報の表示見出しと表示本文の内容を記述・更新する編集手段と、文書情報に設定する表示制御パターンを選択する文書別表示制御パターン設定手段とを設け、前記設定ファイルは、文書情報の閲覧制限有効時に付与されるアイコンの優先順位を設定する設定手段と、文書情報の表示見出しリンク押下時に閲覧制限対象となる場合の誘導先画面のＵＲＬを設定する設定手段とを設け、前記データベースは、文書情報単位で指定する表示制御方法とその制御方法に対するアクセス権レベル毎の制御パターンの組み合わせから成るロールをマスタ管理する管理手段と、文書情報のカテゴリー単位で指定する表示制御方法とその制御方法に対するアクセス権レベル毎の制御パターンの組み合わせから成るロールをマスタ管理する管理手段と、表形式にて表示する閲覧情報の表示件数制御方法とその制御方法に対するアクセス権レベル毎の制御パターンの組み合わせから成るロールをマスタ管理する管理手段と、文書情報を表示する部品及び画面単位でその部品及び画面の参照可否をアクセス権レベル毎にロールにてマスタ管理する管理手段とを設け、前記共通クラスは、前記クライアント端末にて閲覧情報の閲覧要求が発行された際、前記データベースにおける表示制御パターンとそれに紐づく前記設定ファイルにおける設定内容から、閲覧情報の画面表示形式を編集し表示する手段を設けたものである。
【発明の効果】
【００１３】
以上のように本発明の閲覧情報システムによれば、次のような効果がある。
【００１４】
閲覧情報を参照する利用者のアクセス権レベルに応じて、閲覧情報を表示する画面単位または閲覧情報単位に表示・非表示・一部のみ表示・時間差表示など、細かな表示制御を施した閲覧情報を利用者に提供することができる。
【図面の簡単な説明】
【００１５】
【図１】本発明の実施の形態の一例を示すシステム構成図である。
【図２】会員情報テーブルおよび記事テーブルのデータ構成図である。
【図３】文書別表示制御パターンマスタおよびカテゴリー別表示制御パターンマスタのデータ構成図である。
【図４】画面表示設定マスタおよび部品表示設定マスタのデータ構成図である。
【図５】表形式件数表示制御パターンマスタのデータ構成図である。
【図６】表示制御内容設定ファイルのイメージ図である。
【図７】編集システムのイメージ図である。
【図８】記事の表示制御処理の概要を示すフローチャートである。
【図９】画面系の表示制御処理の概要を示すフローチャートである。
【発明を実施するための形態】
【００１６】
以下、本発明を適用した情報閲覧システムの一実施の形態について説明する。
【００１７】
図１は、本発明の実施の形態の一例を示すシステム構成図である。本情報閲覧システムは、会員情報データベース１０４と閲覧情報データベース１０５を備えたＷｅｂサーバー端末１０１と、このＷｅｂサーバー端末１０１から各種閲覧情報を受信する複数のクライアント端末１０２ａ、１０２ｂ、１０２ｎとから構成される。このクライアント端末１０２ａ、１０２ｂ、１０２ｎおよびＷｅｂサーバー端末１０１とは、ＬＡＮ回線や電話回線などの通信ネットワーク１０３を通じて接続されている。
【００１８】
Ｗｅｂサーバー端末１０１には、会員情報データベース１０４、閲覧情報データベース１０５の他に、閲覧情報の参照制限が生じる際の表示制御内容を設定する表示制御内容設定ファイル１０６や、閲覧情報単位でその表示内容や各種設定を編集する編集システム１０７が設けられている。なお、Ｗｅｂサーバー端末１０１の各部は、さらにさまざまな手段にその機能を分けて捉えることができる。解決手段の項に「○○手段」とネーミングしたものは、Ｗｅｂサーバー端末１０１のＣＰＵ（中央処理装置）が必要なプログラム又は情報を読み込んでそれを実行することにより実現される手段を示したものである。
【００１９】
Ｗｅｂサーバー端末１０１の会員情報データベース１０４には、メールアドレスやパスワードなどの会員識別情報およびその会員のアクセス権レベルとロール情報が登録されている。
【００２０】
また、閲覧情報データベース１０５には、文書情報等の閲覧情報そのものの他に、閲覧情報の表示制御パターン情報やＷｅｂページ毎の表示制御設定マスタ情報が登録されている。
【００２１】
また、Ｗｅｂサーバー端末１０１は、クライアント端末１０２からのログイン要求に対してそのクライアント端末１０２を使用する会員の会員認証処理を行うログイン認証処理部１１１、クライアント端末１０２からの閲覧情報表示要求に対して、閲覧情報にそのクライアント端末１０２を使用する会員のアクセス権レベルに応じた表示制御処理を行う共通クラス１１３を有する表示制御処理部１１２、会員情報データベース１０４や閲覧情報データベース１０５の更新処理を行うＤＢ更新処理部１１４、クライアント端末１０２等とのデータの送受信を行うデータ送受信部１１５を備えている。
【００２２】
会員情報データベース１０４に格納される会員情報は、図２に示すように、会員情報テーブル２０１として管理され、会員ＩＤ２１１、名前２１２、フリガナ２１３、メールアドレス２１４、パスワード２１５、アクセス権レベル毎に権限の有無をロールとして持つアクセス権ロール２１６の各データから構成されている。
【００２３】
閲覧情報データベース１０５に格納される文書情報は、図２に示すように、文書テーブル２０２として管理され、文書ＩＤ２２１、カテゴリーＩＤ２２２、パターンＩＤ２２３、見出し２２４、本文２２５、前文２２６、作成日２２７、更新日２２８などの各データから構成されている。
閲覧情報データベース１０５に格納される表示制御パターン情報は、図３に示すように、文書別表示制御パターンマスタ３０１およびカテゴリー別表示制御パターンマスタ３０２として管理され、各テーブルは、パターンＩＤ３１１、制御方法３１２、ロール別表示設定値３１３、およびカテゴリーＩＤ３２１、制御方法３２２、ロール別表示設定値３２３の各データから構成されている。
【００２４】
上記の会員情報テーブル２０１、文書テーブル２０２、文書別表示制御パターンマスタ３０１およびカテゴリー別表示制御パターンマスタ３０２の各テーブルにより、会員情報と文書情報とが表示制御パターン情報を介して紐づき、会員毎に、表示制御された文書情報が提供されるようになっている。
【００２５】
例えば、会員情報テーブル２０１に登録されている会員００１が、文書テーブル２０２に登録されている文書０００２を閲覧しようとした場合、会員００１の有効アクセス権レベルは「１」、文書０００２のパターンＩＤは「２」、カテゴリーＩＤは「ｍ１」となっており、そのとき、適用される表示制御パターンは、文書別表示制御パターンマスタ３０１の、パターンＩＤ３１１が「２」の行とロール別表示設定値３１３のロール番号が「１」の列とが交差する表示制御パターン、もしくは、カテゴリー別表示制御パターンマスタ３０２の、カテゴリーＩＤ３２１が「ｍ１」の行とロール別表示設定値３２３のロール番号が「１」の列とが交差する表示制御パターンの何れかが適用されることになり、つまりこの場合、会員００１に対して文書０００２は、「公開から３０分後に表示」または「見出しのみ表示」されることになる。
【００２６】
また、閲覧情報データベース１０５に格納される、閲覧情報を表示する画面および部品単位での閲覧可否設定情報は、図４に示すように、画面表示設定マスタ４０１および部品表示設定マスタ４０２として管理され、各テーブルは、画面ＩＤ４１１、画面名４１２、ドメイン名４１３、画面ＵＲＬ４１４、参照可否ロール４１５、およびドメイン名４２１、部品ＩＤ４２２、参照可否ロール４２３の各データから構成され、画面単位および部品単位でアクセス権レベル毎に参照権限の有無をロールとして設定している。
【００２７】
上記の会員情報テーブル２０１、画面表示設定マスタ４０１および部品表示設定マスタ４０２の各テーブルにより、会員毎に、表示制御された画面および部品が提供されるようになっている。
【００２８】
例えば、会員情報テーブル２０１に登録されている会員００２が、画面表示設定マスタ４０１で定義されている各画面を閲覧しようとした場合、会員００２の有効アクセス権レベルは「１」および「２」であり、画面表示設定マスタ４０１の参照可否ロール４１５のロール番号が「１」または「２」のデータ値のどちらかが「１」（参照可）である画面について、会員００２に閲覧権限が与えられる。よってこの場合、画面Ａと画面Ｂの２画面が閲覧可能となり、画面Ｃは閲覧することができないことになる。
【００２９】
また、閲覧情報データベース１０５に格納される、表形式にて表示する閲覧情報の件数表示制御パターン情報は、図５に示すように、表形式件数表示制御パターンマスタ５０１として管理され、制御種別ＩＤ５１１、制御内容５１２、ロール別表示設定値５１３の各データから構成されている。
【００３０】
制御内容としては、より詳細な情報を表示する上位の件数を設定する「上位件数」、最大表示件数を設定する「最大件数」、より詳細な情報を表示する上位部分にて見出しカラムを挿入する間隔（件数）を設定する「上位見出し間隔」、それ以下の部分にて見出しカラムを挿入する間隔（件数）を設定する「見出し間隔」を持つ。
【００３１】
それにより、例えば、ある表にて、デフォルト設定（ロール別表示設定値の「０」の列）が有効である場合は、表示例５０２のような形式で表示される。
【００３２】
図６は、図１の表示制御内容設定ファイル１０６のイメージ図である。
図６０１は、表示制御対象となる閲覧情報に付与する参照制限アイコンの種類を、ロール別表示設定値２１３に対応する形で設定している設定ファイルのイメージ図である。
【００３３】
図７は、図１の編集システム１０７のイメージ図である。
編集システム画面７０１にて、文書情報単位で、見出し、前文、本文、関連記事等の各表示内容を編集することができる。また、表示制御パターンリストより任意の表示制御パターンを選択すると、閲覧情報データベース１０９内に設けられている文書情報テーブル２０２のパターンＩＤ２２３に、選択した表示制御パターンのパターンＩＤが登録される。
【００３４】
以下、以上のように構成された情報閲覧システムの動作を説明する。
【００３５】
図８は、情報閲覧システムの利用者が、Ｗｅｂサーバー端末１０１にて提供される文書情報をクライアント端末１０２から閲覧しようとした際の表示制御処理の概要を示すフローチャートである。
【００３６】
利用者が、クライアント端末１０２にて、Ｗｅｂ画面上の閲覧したい文書見出しを選択した場合、その文書情報をクエリストリング付きのＵＲＬ形式でＷｅｂサーバー端末１０１に送信することで、閲覧要求を行う。このとき、利用者識別情報も併せて送付される。Ｗｅｂサーバー端末１０１の表示制御処理部１１２にて、閲覧要求を受信すると、共通クラス１１３にて文書の表示制御処理が開始される。
【００３７】
まず、受信した閲覧要求に添付されている利用者識別情報をもとに、会員情報ＤＢ１０４から会員情報の取得を行う（ステップ８０１）。
【００３８】
該当する会員情報が存在した場合、会員情報テーブル２０１からその会員のアクセス権ロール情報を取得する（ステップ８０２）。
【００３９】
取得したアクセス権ロール情報と、送信された文書情報から文書テーブル２０２を検索して取得したパターンＩＤおよびカテゴリーＩＤをもとに、文書別表示制御パターンマスタ３０１およびカテゴリー別表示制御パターンマスタ３０２から表示制御方法を取得する（ステップ８０３）。
【００４０】
取得した表示制御方法に基づいて、文書情報の表示形式を編集し、また、設定ファイル６０１から参照制限アイコン情報を取得して、参照制限アイコンを付与する（ステップ８０４）。
【００４１】
以上のようにして加工した文書情報をクライアント端末１０２に配信して（ステップ８０５）、一連の表示制御処理は終了となる。
【００４２】
図９は、情報閲覧システムの利用者が、Ｗｅｂサーバー端末１０１にて提供されるＷｅｂ画面やその画面を構成する部品をクライアント端末１０２から閲覧しようとした際の表示制御処理の概要を示すフローチャートである。
【００４３】
利用者が、クライアント端末１０２にて、システム内の任意のＷｅｂ画面を閲覧しようとした場合、まず、その画面のＵＲＬを取得する（ステップ９０７）。
【００４４】
取得した画面ＵＲＬをもとに、画面表示設定マスタ４０１からその画面の参照可否ロール情報を取得する（ステップ９０８）。
【００４５】
また、閲覧要求に添付されている利用者識別情報をもとに、会員情報テーブル２０１からその利用者のアクセス権ロール情報を取得する（ステップ９０９）。
【００４６】
取得した画面の参照可否ロール情報と利用者のアクセス権ロール情報とを比較し（ステップ９１０）、参照権限があれば、閲覧要求対象の画面を表示し（ステップ９１１）、参照権限がなければ、ログイン画面などの任意の指定ＵＲＬ画面を表示する（ステップ９１２）。
【００４７】
また、利用者が、クライアント端末１０２にて、システム内の任意のＷｅｂ画面の部品を閲覧しようとした場合、まず、その部品の部品ＩＤを取得する（ステップ９１３）。
【００４８】
取得した部品ＩＤをもとに、部品表示設定マスタ４０２からその部品の参照可否ロール情報を取得する（ステップ９１４）。
【００４９】
また、閲覧要求に添付されている利用者識別情報をもとに、会員情報テーブル２０１からその利用者のアクセス権ロール情報を取得する（ステップ９１５）。
【００５０】
取得した部品の参照可否ロール情報と利用者のアクセス権ロール情報とを比較し（ステップ９１６）、参照権限があれば、閲覧要求対象の部品を表示し（ステップ９１７）、参照権限がなければ、その部品を除いた状態で画面を表示する。
【００５１】
利用者が、クライアント端末１０２にて、システム内の任意のＷｅｂ画面上に貼られたリンクボタンを選択してそのリンク先画面を閲覧しようとした場合、まずそのリンク先画面のＵＲＬを取得する（ステップ９０１）。
【００５２】
取得したリンク先画面ＵＲＬをもとに、画面表示設定マスタ４０１からそのリンク先画面の参照可否ロール情報を取得する（ステップ９０２）。
【００５３】
また、閲覧要求に添付されている利用者識別情報をもとに、会員情報テーブル２０１からその利用者のアクセス権ロール情報を取得する（ステップ９０３）。
【００５４】
取得したリンク先画面の参照可否ロール情報と利用者のアクセス権ロール情報とを比較し（ステップ９０４）、参照権限があれば、閲覧要求対象のリンク先画面を表示し（ステップ９０５）、参照権限がなければ、ログイン画面などの任意の指定ＵＲＬ画面を表示する（ステップ９０６）。
【産業上の利用可能性】
【００５５】
企業などの組織内における情報閲覧システムに利用できる。
【符号の説明】
【００５６】
１０１  Ｗｅｂサーバー端末
１０２ａ，１０２ｂ，１０２ｎ  クライアント端末
１０３  ネットワーク
１０４  会員情報ＤＢ
１０５  閲覧情報ＤＢ
１０６  表示制御内容設定ファイル
１０７  編集システム
１１１  ログイン認証処理部
１１２  表示制御処理部
１１３  共通クラス
１１４  ＤＢ更新処理部
１１５  データ送受信部
【図１】
2010218472.tif 000003
【図２】
2010218472.tif 000004
【図３】
2010218472.tif 000005
【図４】
2010218472.tif 000006
【図５】
2010218472.tif 000007
【図６】
2010218472.tif 000008
【図７】
2010218472.tif 000009
【図８】
2010218472.tif 000010
【図９】
2010218472.tif 000011